(57)【要約】  【課題】  足が前方に滑ることがなく、履き心地を改善し、安全性を高める運動靴を提供する。  【解決手段】少なくとも１以上の履き口が設けられたアッパーと、  該アッパーを上面に接続し、かつ踵部と足底部と爪先部とを有する底面部と、収納部と、該底面部と該収納部との間に位置して該底面部の該踵部から該足底部に向かって延伸する支持部とを具えるアウトソールとによってなり、  該収納部に第１凹溝と第２凹溝と第３凹溝が形成され、かつ該第１凹溝には、該溝の形状に合わせて形成した軟性の第１パッドを設け、該第２凹溝には、溝の形状に合わせて形成した軟性の第２パッドを設け、該第３凹溝には、溝の形状に合わせて形成した軟性の第３パッドを設けて、該アウトソール上に複数の緩衝ポイントを形成する。【選択図】  図３
2015123298.tif 000002
【特許請求の範囲】
【請求項１】
少なくとも１以上の履き口が設けられたアッパーと、
該アッパーを上面に接続し、かつ踵部と足底部と爪先部とを有する底面部と、収納部と、該底面部と該収納部との間に位置して該底面部の該踵部から該足底部に向かって延伸する支持部とを具えるアウトソールとによってなり、
該収納部に第１凹溝と第２凹溝と第３凹溝が形成され、かつ該第１凹溝には、該溝の形状に合わせて形成した軟性の第１パッドを設け、該第２凹溝には、溝の形状に合わせて形成した軟性の第２パッドを設け、該第３凹溝には、溝の形状に合わせて形成した軟性の第３パッドを設けて、該アウトソール上に複数の緩衝ポイントを形成することを特徴とする運動靴。
【請求項２】
前記支持部に、金属材によってなるシャンクを設けることを特徴とする請求項１に記載の運動靴。
【請求項３】
前記第１凹溝が、該収納部上面の該アウトソールの該踵部に対応する位置に形成され、かつ該第１凹溝は、長辺が該アウトソールの長手方向に沿った楕円形を呈し、周縁に比して中央の部分を浅くすることを特徴とする請求項１に記載の運動靴。
【請求項４】
前記第２凹溝が、該収納部上面の該アウトソールの該足底部に対応する位置に形成され、かつ該第２凹溝は、長辺が該アウトソールの長手方向に沿った角丸長方形を呈し、周縁に比して中央の部分を浅くすることを特徴とする請求項１に記載の運動靴。
【請求項５】
前記第３凹溝が、該収納部上面の該アウトソールの該爪先部に対応する位置に形成され、かつ該第３凹溝は、長辺が該アウトソールの長手方向に沿った楕円形に近い形状を呈し、周縁に比して中央の部分を浅くすることを特徴とする請求項１に記載の運動靴。
【請求項６】
前記収納部の該第１凹溝と、該第２凹溝と、該第３凹溝との周囲に分布して複数の
挿入孔を形成するとともに、該収納部にミッドソールを設け、かつ該ミッドソールの底面に該収納部の複数の該挿入孔に対応する位置にそれぞれ挿入柱を形成して該挿入柱を該挿入孔に挿入することを特徴とする請求項１、３、４、もしくは請求項５に記載の運動靴。
【請求項７】
前記挿入柱がキノコ状に形成されることを特徴とする請求項６に記載の運動靴。
【請求項８】
前記アウトソールに第１緩衝ポイントと、第２緩衝ポイントと、第３緩衝ポイントとが形成され、かつ該第１緩衝ポイントが該第１凹溝の前端部に形成され、該第２緩衝ポイントが該第２凹溝の前端部に形成され、該第３緩衝ポイントが該第３凹溝の前端部に形成される」ことを特徴とする請求項１に記載の運動靴。
【請求項９】
前記第１緩衝ポイントが足の踵の前端の位置に対応し、該第２緩衝ポイントが足の足底前端の位置に対応し、該第３緩衝ポイントが足の爪先の前端の位置に対応することを特徴とする請求項８に記載の運動靴。
【請求項１０】
前記支持部の前端部において、短手方向の両端が突出して第１突出支持部と第２突出支持部を形成し、かつ中間が円弧を描いて凹んだ形状を呈するとともに、該支部の前端部の厚さが該第１突出支持部と該第２突出支持部に向かって漸増し、該第１突出支持部と該第２突出支持部と該シャンクの前端部によって三角形状の力学的支持が形成されることを特徴とする。
【発明の詳細な説明】
【技術分野】
【０００１】
この発明は靴に関し、特に足の保護効果を高め、かつ履き心地を改善した運動靴に関する
【背景技術】
【０００２】
科学技術の発展は、人々の暮らしに多大な利便性をもたらした。靴に関しても、人々は異なる場面で異なる形式の履物を履くが、いずれにしても、足の保護を目的として様々な形態の靴が開発されてきた。これら靴の構造の目的は、足を傷害から保護すること、並びに履き心地を改善することにある。
【０００３】
運動靴においても、同様に足の保護と履き心地の改善を求め改良が加えられてきた。例えば、図１に開示する従来の運動靴１は、アウトソール１１と、アウトソール１１上に接着、もしくは縫合などの方式で接続するアッパー１２とによってなり、別途アウトソール１１上にはミッドソール１３を設ける。
【０００４】
通常、アウトソール１１は射出成型で一体に形成する。アウトソール１１の上面には平面状の収納領域１１１が形成され、ミッドソール１３も同様に平面上に形成する。
【０００５】
図２に従来の運動靴１の使用する態様を開示する。従来の運動靴１は、アッパー１２に形成した履き口１２１から足を入れて履いた状態において、足２の踵２１と足底２２がミッドソール１３に接触する。即ち、使用者の全体重が足２の踵２１と足底２２にかかり、アウトソール１１上に存在するミッドソール１３に対する大きな荷重となる。但し、足底弓２３については何ら支持が与えられていない。
【０００６】
アウトソール１１とミッドソール１３とは、いずれも上面が平面状に形成される。よって、従来の運動靴１を履いて運動する場合、踵２１と足底２２は、運動靴１内において、何ら阻止もない状態で前方に滑り移動する。このため足２の傷害を容易に招く。
【０００７】
また、従来の運動靴１は足２の足底弓２３に対して何ら支持を与えていない。よって、従来の運動靴１を履いて運動する場合、足底弓２３に過大な捩じれによる変形量が発生し、このため足２の不快感を招く。甚だしくは足底弓２３の傷害を招く。
【発明の概要】
【発明が解決しようとする課題】
【０００８】
この発明は、足が前方に滑ることがなく、履き心地を改善し、安全性を高める運動靴を提供することを課題とする。
【課題を解決するための手段】
【０００９】
そこで、本発明者は従来の運動靴にみられる欠点に鑑み鋭意研究を重ねた結果、少なくとも１以上の履き口が設けられたアッパーと、該アッパーを上面に接続し、かつ踵部と足底部と爪先部とを有する底面部と、収納部と、該底面部と該収納部との間に位置して該底面部の該踵部から該足底部に向かって延伸する支持部とを具えるアウトソールとによってなり、該収納部に第１凹溝と第２凹溝と第３凹溝が形成され、かつ該第１凹溝には、該溝の形状に合わせて形成した軟性の第１パッドを設け、該第２凹溝には、溝の形状に合わせて形成した軟性の第２パッドを設け、該第３凹溝には、溝の形状に合わせて形成した軟性の第３パッドを設けてなる運動靴によって課題を解決できる点に着眼し、係る知見に基づいて本発明を完成させた。
【００１０】
以下この発明について説明する。請求項１に記載する運動靴は、  少なくとも１以上の履き口が設けられたアッパーと、  該アッパーを上面に接続し、かつ踵部と足底部と爪先部とを有する底面部と、収納部と、該底面部と該収納部との間に位置して該底面部の該踵部から該足底部に向かって延伸する支持部とを具えるアウトソールとによってなり、  該収納部に第１凹溝と第２凹溝と第３凹溝が形成され、かつ該第１凹溝には、該溝の形状に合わせて形成した軟性の第１パッドを設け、該第２凹溝には、溝の形状に合わせて形成した軟性の第２パッドを設け、該第３凹溝には、溝の形状に合わせて形成した軟性の第３パッドを設けて、該アウトソール上に複数の緩衝ポイントを形成する。
【００１１】
請求項２に記載する運動靴は、請求項１における支持部に、金属材によってなるシャンクを設ける。
【００１２】
請求項３に記載する運動靴は、請求項１における第１凹溝が、該収納部上面の該アウトソールの該踵部に対応する位置に形成され、かつ該第１凹溝は、長辺が該アウトソールの長手方向に沿った楕円形を呈し、周縁に比して中央の部分を浅くする。
【００１３】
請求項４に記載する運動靴は、請求項１における第２凹溝が、該収納部上面の該アウトソールの該足底部に対応する位置に形成され、かつ該第２凹溝は、長辺が該アウトソールの長手方向に沿った角丸長方形を呈し、周縁に比して中央の部分を浅くする。
【００１４】
請求項５に記載する運動靴は、請求項１における第３凹溝が、該収納部上面の該アウトソールの該爪先部に対応する位置に形成され、かつ該第３凹溝は、長辺が該アウトソールの長手方向に沿った楕円形に近い形状を呈し、周縁に比して中央の部分を浅くする。
【００１５】
請求項６に記載する運動靴は、請求項１、３、４、もしくは請求項５における収納部の該第１凹溝と、該第２凹溝と、該第３凹溝との周囲に分布して複数の挿入孔を形成するとともに、該収納部にミッドソールを設け、かつ該ミッドソールの底面に該収納部の複数の該挿入孔に対応する位置にそれぞれ挿入柱を形成して該挿入柱を該挿入孔に挿入する
【００１６】
請求項７に記載する運動靴は、請求項６における挿入柱がキノコ状に形成される。
【００１７】
請求項８に記載する運動靴は、請求項１におけるアウトソールに第１緩衝ポイントと、第２緩衝ポイントと、第３緩衝ポイントとが形成され、かつ該第１緩衝ポイントが該第１凹溝の前端部に形成され、該第２緩衝ポイントが該第２凹溝の前端部に形成され、該第３緩衝ポイントが該第３凹溝の前端部に形成される。
【００１８】
請求項９に記載する運動靴は、請求項８における第１緩衝ポイントが足の踵の前端の位置に対応し、該第２緩衝ポイントが足の足底前端の位置に対応し、該第３緩衝ポイントが足の爪先の前端の位置に対応する。
【００１９】
請求項１０に記載する運動靴は、請求項１、もしくは請求項２における支持部の前端部において、短手方向の両端が突出して第１突出支持部と第２突出支持部を形成し、かつ中間が円弧を描いて凹んだ形状を呈するとともに、該支部の前端部の厚さが該第１突出支持部と該第２突出支持部に向かって漸増し、該第１突出支持部と該第２突出支持部と該シャンクの前端部によって三角形状の力学的支持が形成される。
【図面の簡単な説明】
【００２０】
【図１】従来の運動靴の構造を示した説明図である。
【図２】図１に開示する運動靴の使用態様を示した説明図である。
【図３】この発明による運動靴の構造を示した説明図である。
【図４】この発明におけるインソールの構造を示した説明図である。
【図５】この発明における支持部の構造を示した説明図である。
【図６】この発明におけるアウトソールの構造をしました説明図である。
【発明を実施するための形態】
【００２１】
この発明は、足が前方に滑ることがなく、履き心地を改善し、安全性を高める運動靴を提供するものであって、少なくとも１以上の履き口が設けられたアッパーと、該アッパーを上面に接続し、かつ踵部と足底部と爪先部とを有する底面部と、収納部と、該底面部と該収納部との間に位置して該底面部の該踵部から該足底部に向かって延伸する支持部とを具えるアウトソールとによってなり、該収納部に第１凹溝と第２凹溝と第３凹溝が形成され、かつ該第１凹溝には、該溝の形状に合わせて形成した軟性の第１パッドを設け、該第２凹溝には、溝の形状に合わせて形成した軟性の第２パッドを設け、該第３凹溝には、溝の形状に合わせて形成した軟性の第３パッドを設けて運動靴を構成する。係る運動靴の構造と特徴を説明するために、具体的な実施例を挙げ、図面を参照にして以下に詳述する。
【実施例】
【００２２】
図３にこの発明による運動靴の構造を開示する。図面によれば、運動靴３はアッパー４とアウトソール５とを含んでなる。アッパー４には少なくとも１以上の履き口４１を形成し、接着、もしくは縫合などの方式でアウトソール５上に接続する。
【００２３】
図３、４、５に開示するように、アウトソール５は底面部５１と、支持部５２と、収納部５３とを具える。支持部５２は、金属材、もしくは複合材によってなるシャンク５２１を内部に埋設する。シャンク５２１は鋳込み成型、射出成型などで形成して支持部５２内に設ける。よって、支持部５２は所定の剛性、強度を具える。
【００２４】
支持部５２は、重量を軽減するために凹状部５２２を形成する。さらに支持部５２は前端部において、短手方向の両端が突出して第１突出支持部５２３と第２突出支持部５２４を形成し、中間は円弧を描いて凹んだ形状を呈する。また支持部５２の前端部は第１突出支持部５２３と第２突出支持部５２４に向かって厚さが漸増し、第１突出支持部５２３と第２突出支持部５２４とシャンク５２１のシャンク前端部５２１１とによって三角形状の力学的支持が形成される。
【００２５】
図３、４に開示するように、アウトソール５は支持部５２を埋設して射出成型によってなり、上から下へ収納部５３と、支持部５２と、底面部５１とを具える。即ち、支持部４２は収納部５３と底面部５１との間に介在し、アウトソール５の踵部５ａから足底部５ｂに向かって延伸する。
【００２６】
図６に開示するように、収納部５３の上面周縁部は上方に延伸して凸状周縁部５３１を形成する。また収納部５３の上面にはアウトソール５の踵部５ａに対応する位置に第１凹溝５３２を形成する。第１凹溝５３２は、長辺がアウトソール５の長手方向に沿った楕円形を呈し、周縁に比して中央の部分を浅くする。
【００２７】
また、収納部５５の上面にはアウトソール５の足底部５ｂに対応する位置に第２凹溝５３３を形成する。第２凹溝５３３は、長辺が該前部パッドの短手方向に沿った角丸長方形を呈し、周縁に比して中央の部分を浅くする。
【００２８】
また、収納部５５の上面にはアウトソール５の爪先部５ｃに対応する位置に第３凹溝５３４を形成する。第３凹溝５３４は、長辺が該前部パッドの短手方向に沿った楕円形に近い形状を呈し、周縁に比して中央の部分を浅くする。
【００２９】
別途、収納部５３上には複数の挿入孔５３５を形成する。挿入孔５３５は第１凹溝５３２と、第２凹溝５３３と、第３凹溝５３４との周囲に分布するように形成する。
【００３０】
さらに、第１凹溝５３２には、第１凹溝５３２の形状に合わせて形成した軟性の第１パッド５４を設ける。同様に第２凹溝５３３には、溝の形状に合わせて形成した軟性の第２パッド５５を、第３凹溝５３４には、溝の形状に合わせて形成した軟性の第３パッド５６をそれぞれ設け、これら第１パッド５４、第２パッド５５、第３パッド５６を設けることによってアウトソール５の収納部５５上面は平坦な状態になる。
【００３１】
アウトソール５の収納部５３には、ミッドソール６を設ける。ミッドソール６は軟性の材質によってなる。また、ミッドソール６の底面には、収納部５３の複数の挿入孔５３５に対応する位置にそれぞれキノコ状の挿入柱６１を形成する。挿入柱６１を挿入孔５３５に挿入することによって、ミッドソール６は収納部５３に安定して位置決めされる。
【００３２】
図３に開示するように、足７をアッパー４の履き口４１から入れて履いた状態において、足７の踵７１はアウトソール５の踵部５ａによって支持される。即ち、足７の踵７１は第１凹溝５３２と第１パッド５４を圧迫する。
【００３３】
また、足７の足底７２はアウトソール５の足底部５ｂによって支持される。即ち、足７の足底７２は第２凹溝５３３と第２パッド５５を圧迫する。
【００３４】
また、足７の爪先７３はアウトソール５の爪先部５ｃによって支持される。即ち、
足７の爪先７３は第３凹溝５３４と第３パッド５６を圧迫する。
【００３５】
別途、足７の足底弓７４はアウトソール５の支持部５２に接触する。
【００３６】
以上の構成により、使用者の体重によって第１パッド５４と、第２パッド５５と、第３パッド５６が押し圧されて下方に圧縮する。このため。運動靴３のアウトソール上に少なくとも三か所の緩衝ポイントが形成される。即ち、第１凹溝５３２の前端部、つまり第２凹溝５３３寄りの位置に第１緩衝ポイントＡが形成され、第２凹溝５３３の前端部、つまり第３凹溝５３４寄りの位置に第２緩衝ポイントＡ１が形成され、第３凹溝５３４の前端部、つまりアウトソール５の前端寄りの位置に第３緩衝ポイントＡ２が形成される。
【００３７】
前記第１緩衝ポイントＡは足７の踵７１の前端部に対応する位置にあり、第２緩衝ポイントＡ１は足底７２の前端部に対応する位置にあり、第３緩衝ポイントＡ２は足７の爪先７３の前端部に対応する位置にある。これら第１緩衝ポイントＡと、第２緩衝ポイントＡ１と、第３緩衝ポイントＡ２とによって、足７を靴の中で前方に移動させる力を緩衝し、安全と履き心地の良さ、快適さを達成することができる。
【００３８】
図３に開示するように、足７の足底弓７４は、下方からアウトソール５の支持部５２によって支持される。よって、運動靴３のアウトソール５は、踵部５ａと足底部５ｂとの間に過度の捩じれが発生することなく、同時に支持５２が足７の足底弓７４を支持するため、運動靴３の履き心地を改善し、かつ足７への傷害が発生しにくくなり、安全性を高めることができる。
【００３９】
上述するように、この発明による運動靴３は、アウトソール５の収納部５３に第１凹溝５３２と、第２凹溝５３３と、第３凹溝５３４とを形成し、第１凹溝５３２には、第１凹溝５３２の形状に合わせて形成した軟性の第１パッド５４を設ける。同様に第２凹溝５３３には、溝の形状に合わせて形成した軟性の第２パッド５５を、第３凹溝５３４には、溝の形状に合わせて形成した軟性の第３パッド５６をそれぞれ設け、これら第１パッド５４、第２パッド５５、第３パッド５６を設ける。係る構成によって、アウトソール５上には複数の緩衝ポイントが形成され、足７が運動靴３内において前方に滑って移動することを防ぐ。このため、履き心地を改善し、安全性を高めることができる。
【００４０】
また、この発明においてはアウトソール５の収納部５３と底面部５１との間に支持部５２を設け、かつ支持部５２がアウトソール５の踵部５ａから足底部５ｂに向かって延伸する。よって、アウトソール５の踵部５ａと足底部５ｂとの間に過度の捩じれが発生することを防ぐことができる。同時に支持部５２によって足７の足底弓７４を支持するため、好ましい履き心地が得られ、足７が傷害を受けることなく安全性を高め、運動靴３の効能を高めることができる。
【００４１】
さらに、支持部５２は前端部において、短手方向の両端が突出して第１突出支持部５２３第２突出支持部５２４を形成し、中間は円弧を描いて凹んだ形状を呈する。支持部５２の前端部は第１突出支持部５２３と第２突出支持部５２４に向かって厚さが漸増し、第１突出支持部５２と第２突出支持部５２４とシャンク５２１のシャンク前端部５２１１とによって三角形状の力学的支持が形成される。よって、運動靴３を履いて立った場合、もしくは歩行時において安定性が得られ、かつ好ましい履き心地が得られ、足７が傷害を受けることなく安全性を高め、運動靴３の効能を高めることができる。
【符号の説明】
【００４２】
１                   運動靴
１１          アウトソール
１１１        収納領域
１２          アッパー
１２１        履き口
１３          ミッドソール
２                   足
２１          踵
２２          足底
２３          足底弓
３                   運動靴
４                   アッパー
４１          履き口
５                   アウトソール
５ａ          踵部
５ｂ          足底部
５ｃ          爪先部
５１          底面部
５２          支持部
５２１        シャンク
３２１１      シャンク前端部       
５２２        凹状部
５２３        第１突出支持部
５２４        第２突出支持部
５３          収納部
５３１        凸状周縁部
５３２        第１凹溝
５３３        第２凹溝
５３４        第３凹溝
５３５        挿入孔
５４          第１パッド
５５          第２パッド
５６          第３パッド
６                   ミッドソール
６１          挿入柱
７                   足
７１          踵
７２          足底
７３          爪先
７４          足底弓
Ａ                   第１緩衝ポイント
Ａ１          第２緩衝ポイント
Ａ２          第３緩衝ポイント
【図１】
2015123298.tif 000003
【図２】
2015123298.tif 000004
【図３】
2015123298.tif 000005
【図４】
2015123298.tif 000006
【図５】
2015123298.tif 000007
【図６】
2015123298.tif 000008
【手続補正書】
【提出日】平成27年4月21日(2015.4.21)
【手続補正１】
【補正対象書類名】特許請求の範囲
【補正対象項目名】全文
【補正方法】変更
【補正の内容】
【特許請求の範囲】
【請求項１】
アッパーとアウトソールとを有する運動靴であって、
前記アッパーは前記アウトソールの上面に取り付けられ、前記アッパーは少なくとも１以上の履き口を有し、
前記アウトソールは、底面部と、支持部と、収納部と、を有し、
前記支持部は、前記底面部と前記収納部との間に位置し、当該アウトソールの踵部から当該アウトソールの足底部に向かって延伸し、
前記収納部には、第１凹溝と第２凹溝と第３凹溝とが形成され、
前記第１凹溝には、この第１凹溝の形状に合わせて形成した軟性の第１パッドを設け、
前記第２凹溝には、この第２凹溝の形状に合わせて形成した軟性の第２パッドを設け、
前記第３凹溝には、この第３凹溝の形状に合わせて形成した軟性の第３パッドを設け、これにより、前記アウトソール上に複数の緩衝ポイントを形成し、
前記第１凹溝が、前記収納部上面において前記アウトソールの前記踵部に対応する位置に形成され、かつ、前記第１凹溝は、長軸が前記アウトソールの長手方向に沿った楕円形を呈し、中央部が周縁部と比較して深くなっており、
前記第２凹溝が、前記収納部上面において前記アウトソールの前記足底部に対応する位置に形成され、かつ、前記第２凹溝は、長軸が前記アウトソールの長手方向に対して直交する方向に延びる角丸長方形を呈し、中央部が周縁部と比較して深くなっており、
前記第３凹溝が、前記収納部上面において前記アウトソールの前記爪先部に対応する位置に形成され、かつ、前記第３凹溝は、長軸が該アウトソールの長手方向に対して直交する方向に延びる楕円形に近い形状を呈し、中央部が周縁部と比較して深くなっており、
前記支持部の内部にシャンクを埋設し、
前記支持部の前端部において、短手方向の両端が突出して第１突出支持部と第２突出支持部を形成し、かつ中間が円弧を描いて凹んだ形状を呈するとともに、前記支持部の前記前端部の厚さが前記第１突出支持部と前記第２突出支持部に向かって漸増し、前記第１突出支持部と前記第２突出支持部と前記シャンクの前端部によって三角形状の力学的支持が形成される
ことを特徴とする運動靴。
【請求項２】
請求項１に記載の運動靴において、
前記シャンクは金属材によってなる
ことを特徴とする運動靴。
【請求項３】
請求項１または請求項２に記載の運動靴において、
前記収納部の該第１凹溝と、該第２凹溝と、該第３凹溝との周囲に分布して複数の挿入孔を形成するとともに、該収納部にミッドソールを設け、かつ該ミッドソールの底面に該収納部の複数の該挿入孔に対応する位置にそれぞれ挿入柱を形成して該挿入柱を該挿入孔に挿入する
ことを特徴とする運動靴。
【請求項４】
請求項３に記載の運動靴において、
前記挿入柱がキノコ状に形成される
ことを特徴とする運動靴。
【請求項５】
請求項１に記載の運動靴において、
前記アウトソールに第１緩衝ポイントと、第２緩衝ポイントと、第３緩衝ポイントとが形成され、かつ前記第１緩衝ポイントが前記第１凹溝の前端部に形成され、前記第２緩衝ボイントが前記第２凹溝の前端部に形成され、前記第３緩衝ポイントが前記第３凹溝の前端部に形成される
ことを特徴とする運動靴。
【請求項６】
請求項５に記載の運動靴において、
前記第１緩衝ポイントが足の踵の前端の位置に対応し、前記第２緩衝ポイントが足の足底前端の位置に対応し、前記第３緩衝ポイントが足の爪先の前端の位置に対応する
ことを特徴とする運動靴。
【手続補正２】
【補正対象書類名】図面
【補正対象項目名】図５
【補正方法】変更
【補正の内容】
【図５】
2015123298.tif 000009
【手続補正３】
【補正対象書類名】明細書
【補正対象項目名】００２５
【補正方法】変更
【補正の内容】
【００２５】
図３、４に開示するように、アウトソール５は支持部５２を埋設して射出成型によってなり、上から下へ収納部５３と、支持部５２と、底面部５１とを具える。即ち、支持部５２は収納部５３と底面部５１との間に介在し、アウトソール５の腫部５ａから足底部５ｂに向かって延伸する。
【手続補正４】
【補正対象書類名】明細書
【補正対象項目名】００２６
【補正方法】変更
【補正の内容】
【００２６】
図６に開示するように、収納部５３の上面周縁部は上方に延伸して凸状周縁部５３１を形成する。また収納部５３の上面にはアウトソール５の腫部５ａに対応する位置に第１凹溝５３２を形成する。第１凹溝５３２は、長軸がアウトソール５の長手方向に沿った楕円形を呈し、周縁に比して中央の部分を深くする。
【手続補正５】
【補正対象書類名】明細書
【補正対象項目名】００２７
【補正方法】変更
【補正の内容】
【００２７】
また、収納部５５の上面にはアウトソール５の足底部５ｂに対応する位置に第２凹溝５３３を形成する。第２凹溝５３３は、長軸がアウトソールの長手方向に対して直交する方向に延びる角丸長方形を呈し、周縁に比して中央の部分を深くする。
【手続補正６】
【補正対象書類名】明細書
【補正対象項目名】００２８
【補正方法】変更
【補正の内容】
【００２８】
また、収納部５５の上面にはアウトソール５の爪先部５ｃに対応する位置に第３凹溝５３４を形成する。第３凹溝５３４は、長軸が該アウトソールの長手方向に対して直交する方向に延びる楕円形に近い形状を呈し、周縁に比して中央の部分を深くする。
【手続補正７】
【補正対象書類名】明細書
【補正対象項目名】００１０
【補正方法】変更
【補正の内容】
【００１０】
本発明の運動靴は、
アッパーとアウトソールとを有する運動靴であって、
前記アッパーは前記アウトソールの上面に取り付けられ、前記アッパーは少なくとも１以上の履き口を有し、
前記アウトソールは、底面部と、支持部と、収納部と、を有し、
前記支持部は、前記底面部と前記収納部との間に位置し、当該アウトソールの踵部から当該アウトソールの足底部に向かって延伸し、
前記収納部には、第１凹溝と第２凹溝と第３凹溝とが形成され、
前記第１凹溝には、この第１凹溝の形状に合わせて形成した軟性の第１パッドを設け、
前記第２凹溝には、この第２凹溝の形状に合わせて形成した軟性の第２パッドを設け、
前記第３凹溝には、この第３凹溝の形状に合わせて形成した軟性の第３パッドを設け、これにより、前記アウトソール上に複数の緩衝ポイントを形成し、
前記第１凹溝が、前記収納部上面において前記アウトソールの前記踵部に対応する位置に形成され、かつ、前記第１凹溝は、長軸が前記アウトソールの長手方向に沿った楕円形を呈し、中央部が周縁部と比較して深くなっており、
前記第２凹溝が、前記収納部上面において前記アウトソールの前記足底部に対応する位置に形成され、かつ、前記第２凹溝は、長軸が前記アウトソールの長手方向に対して直交する方向に延びる角丸長方形を呈し、中央部が周縁部と比較して深くなっており、
前記第３凹溝が、前記収納部上面において前記アウトソールの前記爪先部に対応する位置に形成され、かつ、前記第３凹溝は、長軸が該アウトソールの長手方向に対して直交する方向に延びる楕円形に近い形状を呈し、中央部が周縁部と比較して深くなっており、
前記支持部の内部にシャンクを埋設し、
前記支持部の前端部において、短手方向の両端が突出して第１突出支持部と第２突出支持部を形成し、かつ中間が円弧を描いて凹んだ形状を呈するとともに、前記支持部の前記前端部の厚さが前記第１突出支持部と前記第２突出支持部に向かって漸増し、前記第１突出支持部と前記第２突出支持部と前記シャンクの前端部によって三角形状の力学的支持が形成される
ことを特徴とする。
【手続補正８】
【補正対象書類名】明細書
【補正対象項目名】００１１
【補正方法】変更
【補正の内容】
【００１１】
本発明では、
前記シャンクは金属材によってなる
ことが好ましい。
【手続補正９】
【補正対象書類名】明細書
【補正対象項目名】００１２
【補正方法】変更
【補正の内容】
【００１２】
本発明では、
前記収納部の該第１凹溝と、該第２凹溝と、該第３凹溝との周囲に分布して複数の挿入孔を形成するとともに、該収納部にミッドソールを設け、かつ該ミッドソールの底面に該収納部の複数の該挿入孔に対応する位置にそれぞれ挿入柱を形成して該挿入柱を該挿入孔に挿入する
ことが好ましい。
【手続補正１０】
【補正対象書類名】明細書
【補正対象項目名】００１３
【補正方法】変更
【補正の内容】
【００１３】
本発明では、
前記挿入柱がキノコ状に形成される
ことが好ましい。
【手続補正１１】
【補正対象書類名】明細書
【補正対象項目名】００１４
【補正方法】変更
【補正の内容】
【００１４】
本発明では、
前記アウトソールに第１緩衝ポイントと、第２緩衝ポイントと、第３緩衝ポイントとが形成され、かつ前記第１緩衝ポイントが前記第１凹溝の前端部に形成され、前記第２緩衝ボイントが前記第２凹溝の前端部に形成され、前記第３緩衝ポイントが前記第３凹溝の前端部に形成される
ことが好ましい。
【手続補正１２】
【補正対象書類名】明細書
【補正対象項目名】００１５
【補正方法】変更
【補正の内容】
【００１５】
本発明では、
前記第１緩衝ポイントが足の踵の前端の位置に対応し、前記第２緩衝ポイントが足の足底前端の位置に対応し、前記第３緩衝ポイントが足の爪先の前端の位置に対応する
ことが好ましい。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】